(57)【要約】      （修正有）【課題】携帯電話機や固定電話機の子機等において、受話口に近接してディスプレー部が設けられているため、通話時に受話口を耳に当てた際、汗や化粧等でディスプレー部が汚れやすかったことを解消するために各種操作キー等の配置を変えた携帯電話機もしくは子機等を提供する。【解決手段】携帯電話機等にあっては、ディスプレー部２を送話口５に近接して設けることにより、通話時に耳を受話口１部分に当ててもディスプレー部２が耳にあたることがないので、汗等でディスプレー部２が汚れることはない。【選択図】図２
0003137686.tif 000002
【実用新案登録請求の範囲】
【請求項１】
携帯電話機や固定電話機の子機等の電話機の筐体の表面に配した、スピーカーからなる受話口とマイクロフォンからなる送話口や液晶等によるディスプレー部ならびに各種操作キー等を配置した各種ファンクションボタン部および数字や文字等を入力するためのダイヤルボタン部の配置において、ディスプレー部を送話口に近接して設けたことを特徴とする、電話機
【考案の詳細な説明】
【技術分野】
【０００１】
本考案は、携帯電話機や固定電話機の子機等（以後単に「携帯電話機等」ともいう）における各種操作キー等の配置において、送話口に近接して液晶等によるディスプレー部を設けた、電話機に関するものである
【背景技術】
【０００２】
従来、携帯電話機等においては図１や図３に示すように受話口１に近接してディスプレー部が配置されていた。
【０００３】
【特許文献１】本件に関する特段の先行技術文献はみあたらない。
【考案の開示】
【考案が解決しようとする課題】
【０００４】
従来、携帯電話機等においては図１や図３に示すように受話口１に近接してディスプレー部２が設けられていたため、通話時に当該受話口１部分を耳に当てた場合、汗や化粧などが当該ディスプレー部３に付着し当該ディスプレー部３に汚れが発生していた。
また、携帯電話機の操作に際しては図１や図３でいえば、いずれも下端部を片手で握って操作することが一般的に行われているが、握ることのできる面積が小さいため操作しにくいという欠点があった。
本考案はこれらの問題点を解決するためになされたものである。
【課題を解決するための手段】
【０００５】
携帯電話機や子機においての一般的な各種操作ボタン等を以下のように定めることとする。
通話時等に相手からの声などの音声等を受ける部分を受話口１ということにする。
電話番号等の文字もしくは画像等を表示する部分をディスプレー部２という。
カーソルを上下左右に移動させるマルチファンクションボタンや、各種ソフトキーに表示されたソフトや各種タスクメニュー表示させるボタン等は図１から図４に示すようにマルチファンクションボタンを囲むように４つのボタンが配置されているのが一般的で、当該４つのボタンと当該マルチファンクションボタンを総称して、各種ファンクションボタン部３という。
数字や文字等を入力するためのボタンを、ダイヤルボタン部４という。
自分の話す声等を送る部分を、送話口５という。
以上のことより、携帯電話機等の各種操作ボタン等（以後「操作キー等」ともいう）の配置に関し、受話口１、ディスプレー部２、各種ファンクション部３、ダイヤルボタン部４および送話口５にまとめて表現し、論を進めることにする。
【０００６】
図１は、折りたたみ式の携帯電話機（以後単に「携帯電話機）という）の各種操作キー等の従来の一般的な配置状況を示す正面図である。
なお、本稿では「上」「下」「右」「左」等は図面より見て右左等をいうこととする。
図１からわかるように、ディスプレー部２は受話口１に近接して設けられていたため、通話時に当該携帯電話機の当該受話口１を耳にあてると、当該ディスプレー部２は耳に当たるため、当該ディスプレー部２に汗等の汚れが付着してしまう欠点があった。
この欠点を改良するために、各種操作キーの配置において、当該受話口１と当該ディスプレー部２の設置場所を離し、当該送話口５に近接して当該ディスプレー部２を設ける構造にする。もしくは、当該受話口１と当該ディスプレー部２を少なくも耳の大きさ以上に離して設ける構造にする。図２は当該送話口５に近接して当該ディスプレー部２を設けた携帯電話機の正面図である。
携帯電話機の筐体の大きさが、人間の耳の大きさより小さい超小型携帯電話機においては、本考案では従来の欠点を解決することができないが、少なくも当該携帯電話機の筐体の大きさが人間の耳の大きさより大きい場合には、当該ディスプレー部２を当該受話口１から人間の耳の大きさ以上に離した位置に設けることで、従来のような当該ディスプレー部２にいろいろな汚れの付着を防止できる、あるいは殆ど付着しなので従来の欠点を大幅に改良できる。
片手で携帯電話機を握って操作する場合には、図２からわかるように、当該携帯電話機のほぼ真ん中を握って操作することになるので、当該携帯電話機を片手でも安定的に握ることができるというメリットがある。
【０００７】
折りたたみ式でない携帯電話機もしくは固定電話機の子機においても上記と同様のことがいえる。図３は固定電話機の子機の各種操作キー等の現状の一般的な配置状況を示す正面図で、図４は各種操作キー等の配列を上記携帯電話機で述べたと同じようにした、本考案による配置状況を示す図である。
【考案の効果】
【０００８】
従来、携帯電話機等においては受話口１とディスプレー部２が近接していたため、通話時に当該ディスプレー部２にを耳があたり、汗等の汚れが当該ディスプレー部２に付着し汚れ不快であった。
本考案は、耳が当該ディスプレー部２に当たらないように、当該受話口１と当該ディスプレー部２を離して設けることにより、上述した当該ディスプレー部２に汚れが付着しづらくなる。
また、携帯電話機等を片手で操作する場合。従来携帯電話機等の下端部分を握っていたので、握る面積が十分でなく不安定であったが、本考案の構造の携帯電話機等においては、携帯電話機等のほぼ中央を握ることになるので、安定的に握ることができるようになるという便利さも生じる。
【考案を実施するための最良の形態】
【０００９】
従来の携帯電話機等の各種操作キーの配置においては、当該受話口１と当該ディスプレー部２が近接していたため、通話時には当該ディスプレー部２に耳が当たり、汗等の汚れが当該ディスプレー部２に付着しやすかった。
【実施例１】
【００１０】
この欠点は、当該受話口１と当該ディスプレー部２とを少なくとも人間の耳の大きさ以上に話して設けることで解消することができる。
具体的には、携帯電話機においては、折りたたみ式であるとなかろうと、各種操作キー等の配列を現状のように、図１に示すように上から、受話口１、ディスプレー部２、各種ファンクション部３、ダイヤルボタン部４、送話口５とするのでなく、図２に示すように、上から受話口１、各種ファンクションボタン部３、ダイヤルボタン部４、ディスプレー部２、送話口５の順に配置する、すなわち当該ディスプレー部２を当該送話口５に近接して設ける。このことにより上記の欠点は解消する。
また携帯電話機においては、片手での操作が一般的であるが、図１でいえば各種ファンクションボタン部３やダイヤルボタン部４近辺の携帯電話機の下端部分を握り操作しなければならため、安定的に携帯電話機をつかむことができなかった。
しかし、本考案による各種操作キー等の配置を行えば、図２にからもわかるように携帯電話機のほぼ中央部分を握って操作することになるので、安定的に携帯電話機を握ることができるようになる。
【実施例２】
【００１１】
実施例２としては固定電話機の子機のケースである。子機においてもディスプレー部２が耳に当たり、当該ディスプレー部２が汚れるという欠点があった。
子機においても、各種操作キー等の配列を現状のように、図３に示すように上から、受話口１、ディスプレー部２、各種ファンクション部３、ダイヤルボタン部４、送話口５とするのでなく、図４に示すように、上から受話口１、各種ファンクションボタン部３、ダイヤルボタン部４、ディスプレー部２、送話口５の順に配置する、すなわち当該ディスプレー部２を当該送話口５に近接して設ける。このことにより上記の欠点は解消する。
また子機においても、片手での操作が一般的であるが、図３でいえば各種ファンクションボタン部３やダイヤルボタン部４近辺の子機の下端部分を握り操作しなければならため、安定的に携帯電話機をつかむことができなかった。
しかし、本考案による各種操作キー等の配置を行えば、図４にからもわかるように携帯電話機のほぼ中央部分を握って操作することになるので、安定的に携帯電話機を握ることができるようになる。
【産業上の利用可能性】
【００１２】
本考案は、従来の電話機の各種操作キー等の配列を変えて、送話口５に近接してディスプレー部２を設けるもので、技術的な困難さはなく産業上利用できるものである。
【図面の簡単な説明】
【００１３】
【図１】現状の携帯電話機の各種操作キー等の一般的配置状況を示す正面図
【図２】本考案による携帯電話機の各種操作キー等の配置状況を示す正面図
【図３】現状の子機の各種操作キー等の一般的配置状況を示す正面図
【図４】本考案による子機の各種操作キー等の配置状況を示す正面図
【符号の説明】
【００１４】
１受話口
２ディスプレー部
３各種ファンクションボタン部
４ダイヤルボタン部
５送話口
６ヒンジ部
【図１】
0003137686.tif 000003
【図２】
0003137686.tif 000004
【図３】
0003137686.tif 000005
【図４】
0003137686.tif 000006